(57)【特許請求の範囲】
【請求項１】
用紙上に画像を形成する画像形成装置と、前記画像形成装置により画像が形成された用紙に後処理を施す後処理装置とを有する画像形成システムであって、
前記画像形成装置または前記後処理装置の処理に関する設定値を変更するためのユーザー操作を認識する認識部と、
前記画像形成装置が複数枚の用紙に連続的に画像を形成するとともに前記後処理装置が前記用紙に後処理を施す連続出力動作中に前記設定値が変更された場合、変更後の前記設定値を反映して、前記画像形成装置および前記後処理装置に前記連続出力動作を継続させる第１制御部と、
前記ユーザー操作が認識されたときから過去に遡って、前記処理に関係する所定の変化を検出する検出部と、
前記所定の変化が生じたときから前記変更後の設定値が反映されるまでの間に出力された用紙を前記画像形成装置および前記後処理装置に再出力させる第２制御部と、
を有する画像形成システム。
【請求項２】
前記所定の変化は、用紙サイズの変動を引き起こす変化を含む、請求項１に記載の画像形成システム。
【請求項３】
前記所定の変化は、前記画像形成装置に用紙を供給する給紙トレイの変更を含む、請求項１または２に記載の画像形成システム。
【請求項４】
前記所定の変化は、用紙ロットの変更を含む、請求項１〜３のいずれか１項に記載の画像形成システム。
【請求項５】
前記所定の変化は、前記画像形成装置および前記後処理装置の周囲の環境の変化を含む、請求項１〜４のいずれか１項に記載の画像形成システム。
【請求項６】
前記所定の変化は、画像形成ジョブの変更を含む、請求項１〜５のいずれか１項に記載の画像形成システム。
【請求項７】
前記第２制御部は、用紙が１枚単位で出力される出力物については前記画像形成装置および前記後処理装置に１枚単位で用紙を再出力させ、用紙が複数枚の用紙束単位で出力される出力物については前記画像形成装置および前記後処理装置に前記用紙束単位で用紙を再出力させる、請求項１〜６のいずれか１項に記載の画像形成システム。
【請求項８】
前記設定値の変更量が許容範囲内にあるか否かを判断する判断部をさらに有し、
前記判断部により前記変更量が前記許容範囲内にあると判断される場合、前記第２制御部は、前記画像形成装置および前記後処理装置に用紙を再出力させない、請求項１〜７のいずれか１項に記載の画像形成システム。
【請求項９】
ユーザー操作に基づき前記許容範囲を設定する設定部をさらに有する、請求項８に記載の画像形成システム。
【請求項１０】
前記設定値を変更するためのユーザー操作は、前記設定値を変更するための操作を開始するためのボタン操作である、請求項１〜９のいずれか１項に記載の画像形成システム。
【請求項１１】
前記設定値を変更するためのユーザー操作は、前記変更後の設定値を入力するためのボタン操作である、請求項１〜９のいずれか１項に記載の画像形成システム。
【請求項１２】
用紙上に画像を形成する画像形成装置であって、
前記画像形成装置の画像形成処理に関する設定値を変更するためのユーザー操作を認識する認識部と、
前記画像形成装置が複数枚の用紙に連続的に画像を形成する連続出力動作中に前記設定値が変更された場合、変更後の前記設定値を反映して、前記画像形成装置に前記連続出力動作を継続させる第１制御部と、
前記ユーザー操作が認識されたときから過去に遡って、前記画像形成処理に関係する所定の変化を検出する検出部と、
前記所定の変化が生じたときから前記変更後の設定値が反映されるまでの間に出力された用紙を前記画像形成装置に再出力させる第２制御部と、
を有する画像形成装置。
【請求項１３】
画像形成装置により画像が形成された用紙に後処理を施す後処理装置であって、
前記後処理装置の後処理に関する設定値を変更するためのユーザー操作を認識する認識部と、
前記画像形成装置により連続的に画像が形成された複数枚の用紙に前記後処理装置が後処理を施す連続出力動作中に前記設定値が変更された場合、変更後の前記設定値を反映して、前記後処理装置に前記連続出力動作を継続させる第１制御部と、
前記ユーザー操作が認識されたときから過去に遡って、前記後処理に関係する所定の変化を検出する検出部と、
前記画像形成装置と連携して、前記所定の変化が生じたときから前記変更後の設定値が反映されるまでの間に出力された用紙を前記後処理装置に再出力させる第２制御部と、
を有する後処理装置。
【請求項１４】
用紙上に画像を形成する画像形成装置と、前記画像形成装置により画像が形成された用紙に後処理を施す後処理装置とを有する画像形成システムの制御方法であって、
前記画像形成装置または前記後処理装置の処理に関する設定値を変更するためのユーザー操作を認識するステップ（ａ）と、
前記画像形成装置が複数枚の用紙に連続的に画像を形成するとともに前記後処理装置が前記用紙に後処理を施す連続出力動作中に前記設定値が変更された場合、変更後の前記設定値を反映して、前記画像形成装置および前記後処理装置に前記連続出力動作を継続させるステップ（ｂ）と、
前記ユーザー操作が認識されたときから過去に遡って、前記処理に関係する所定の変化を検出するステップ（ｃ）と、
前記所定の変化が生じたときから前記変更後の設定値が反映されるまでの間に出力された用紙を前記画像形成装置および前記後処理装置に再出力させるステップ（ｄ）と、
を有する画像形成システムの制御方法。
【請求項１５】
用紙上に画像を形成する画像形成装置の制御方法であって、
前記画像形成装置の画像形成処理に関する設定値を変更するためのユーザー操作を認識するステップ（ａ）と、
前記画像形成装置が複数枚の用紙に連続的に画像を形成する連続出力動作中に前記設定値が変更された場合、変更後の前記設定値を反映して、前記画像形成装置に前記連続出力動作を継続させるステップ（ｂ）と、
前記ユーザー操作が認識されたときから過去に遡って、前記画像形成処理に関係する所定の変化を検出するステップ（ｃ）と、
前記所定の変化が生じたときから前記変更後の設定値が反映されるまでの間に出力された用紙を前記画像形成装置に再出力させるステップ（ｄ）と、
を有する画像形成装置の制御方法。
【請求項１６】
画像形成装置により画像が形成された用紙に後処理を施す後処理装置の制御方法であって、
前記後処理装置の後処理に関する設定値を変更するためのユーザー操作を認識するステップ（ａ）と、
前記画像形成装置により連続的に画像が形成された複数枚の用紙に前記後処理装置が後処理を施す連続出力動作中に前記設定値が変更された場合、変更後の前記設定値を反映して、前記後処理装置に前記連続出力動作を継続させるステップ（ｂ）と、
前記ユーザー操作が認識されたときから過去に遡って、前記後処理に関係する所定の変化を検出するステップ（ｃ）と、
前記画像形成装置と連携して、前記所定の変化が生じたときから前記変更後の設定値が反映されるまでの間に出力された用紙を前記後処理装置に再出力させるステップ（ｄ）と、
を有する後処理装置の制御方法。
【発明の詳細な説明】
【技術分野】
【０００１】
本発明は、画像形成システム、画像形成装置、後処理装置、およびそれらの制御方法に関する。
【背景技術】
【０００２】
用紙上に画像を形成する画像形成装置と、画像形成装置により画像が形成された用紙に後処理を施す後処理装置とを有する画像形成システムがある。画像形成装置および後処理装置は、画像形成処理および後処理に関する各種項目の設定値にしたがって、画像形成処理および後処理をそれぞれ行う。
【０００３】
これに関連して、下記の特許文献１には、画像形成システムの動作停止時に、画像形成処理または後処理に関する各種項目の設定値をユーザーが変更して、出力物の調整を行う技術が開示されている。この技術によれば、ユーザーは、各種項目の設定値を微調整することにより、より良好な出力物を得ることができる。
【０００４】
ところで、画像形成システムでは、通常、画像形成装置が複数枚の用紙に連続的に画像を形成するとともに後処理装置が用紙に後処理を施す連続出力動作が行われる。このような連続出力動作中、ユーザーが出力物の状態（後処理の仕上がりや画質）を確認して所望の状態からのズレに気付いた場合、ユーザーは、まず、画像形成システムの連続出力動作を停止する。そして、ユーザーは、関連する項目の設定値を変更した後、画像形成システムの連続出力動作を再開する。加えて、ユーザーは、所望の状態からのズレがある出力物（ヤレ紙）の数を数えて当該数の出力物の再出力を画像形成システムに指示し、画像形成システムに出力物の再出力を行わせる。
【０００５】
しかしながら、ユーザーが所望の状態からのズレがある出力物の数を数えて再出力を指示する作業は手間がかかり、画像形成システムの生産性を低下させる要因となる。このため、画像形成システムの連続出力動作中にユーザーが出力物の異常に気付いた場合のユーザーの作業を減らして、画像形成システムの生産性を向上させることが望まれている。
【先行技術文献】
【特許文献】
【０００６】
【特許文献１】特開２００６−０２３４７５号公報
【発明の概要】
【発明が解決しようとする課題】
【０００７】
本発明は、上述した課題に鑑みてなされたものである。したがって、本発明の目的は、連続出力動作中にユーザーが出力物の異常に気付いた場合のユーザーの作業を減らして、生産性を向上させることができる画像形成システム、画像形成装置、後処理装置、およびそれらの制御方法を提供することである。
【課題を解決するための手段】
【０００８】
本発明の上記目的は、下記の手段によって達成される。
【０００９】
（１）用紙上に画像を形成する画像形成装置と、前記画像形成装置により画像が形成された用紙に後処理を施す後処理装置とを有する画像形成システムであって、前記画像形成装置または前記後処理装置の処理に関する設定値を変更するためのユーザー操作を認識する認識部と、前記画像形成装置が複数枚の用紙に連続的に画像を形成するとともに前記後処理装置が前記用紙に後処理を施す連続出力動作中に前記設定値が変更された場合、変更後の前記設定値を反映して、前記画像形成装置および前記後処理装置に前記連続出力動作を継続させる第１制御部と、前記ユーザー操作が認識されたときから過去に遡って、前記処理に関係する所定の変化を検出する検出部と、前記所定の変化が生じたときから前記変更後の設定値が反映されるまでの間に出力された用紙を前記画像形成装置および前記後処理装置に再出力させる第２制御部と、を有する画像形成システム。
【００１０】
（２）前記所定の変化は、用紙サイズの変動を引き起こす変化を含む、上記（１）に記載の画像形成システム。
【００１１】
（３）前記所定の変化は、前記画像形成装置に用紙を供給する給紙トレイの変更を含む、上記（１）または（２）に記載の画像形成システム。
【００１２】
（４）前記所定の変化は、用紙ロットの変更を含む、上記（１）〜（３）のいずれか１つに記載の画像形成システム。
【００１３】
（５）前記所定の変化は、前記画像形成装置および前記後処理装置の周囲の環境の変化を含む、上記（１）〜（４）のいずれか１つに記載の画像形成システム。
【００１４】
（６）前記所定の変化は、画像形成ジョブの変更を含む、上記（１）〜（５）のいずれか１つに記載の画像形成システム。
【００１５】
（７）前記第２制御部は、用紙が１枚単位で出力される出力物については前記画像形成装置および前記後処理装置に１枚単位で用紙を再出力させ、用紙が複数枚の用紙束単位で出力される出力物については前記画像形成装置および前記後処理装置に前記用紙束単位で用紙を再出力させる、上記（１）〜（６）のいずれか１つに記載の画像形成システム。
【００１６】
（８）前記設定値の変更量が許容範囲内にあるか否かを判断する判断部をさらに有し、前記判断部により前記変更量が前記許容範囲内にあると判断される場合、前記第２制御部は、前記画像形成装置および前記後処理装置に用紙を再出力させない、上記（１）〜（７）のいずれか１つに記載の画像形成システム。
【００１７】
（９）ユーザー操作に基づき前記許容範囲を設定する設定部をさらに有する、上記（８）に記載の画像形成システム。
【００１８】
（１０）前記設定値を変更するためのユーザー操作は、前記設定値を変更するための操作を開始するためのボタン操作である、上記（１）〜（９）のいずれか１つに記載の画像形成システム。
【００１９】
（１１）前記設定値を変更するためのユーザー操作は、前記変更後の設定値を入力するためのボタン操作である、上記（１）〜（９）のいずれか１つに記載の画像形成システム。
【００２０】
（１２）用紙上に画像を形成する画像形成装置であって、前記画像形成装置の画像形成処理に関する設定値を変更するためのユーザー操作を認識する認識部と、前記画像形成装置が複数枚の用紙に連続的に画像を形成する連続出力動作中に前記設定値が変更された場合、変更後の前記設定値を反映して、前記画像形成装置に前記連続出力動作を継続させる第１制御部と、前記ユーザー操作が認識されたときから過去に遡って、前記画像形成処理に関係する所定の変化を検出する検出部と、前記所定の変化が生じたときから前記変更後の設定値が反映されるまでの間に出力された用紙を前記画像形成装置に再出力させる第２制御部と、を有する画像形成装置。
【００２１】
（１３）画像形成装置により画像が形成された用紙に後処理を施す後処理装置であって、前記後処理装置の後処理に関する設定値を変更するためのユーザー操作を認識する認識部と、前記画像形成装置により連続的に画像が形成された複数枚の用紙に前記後処理装置が後処理を施す連続出力動作中に前記設定値が変更された場合、変更後の前記設定値を反映して、前記後処理装置に前記連続出力動作を継続させる第１制御部と、前記ユーザー操作が認識されたときから過去に遡って、前記後処理に関係する所定の変化を検出する検出部と、前記画像形成装置と連携して、前記所定の変化が生じたときから前記変更後の設定値が反映されるまでの間に出力された用紙を前記後処理装置に再出力させる第２制御部と、を有する後処理装置。
【００２２】
（１４）用紙上に画像を形成する画像形成装置と、前記画像形成装置により画像が形成された用紙に後処理を施す後処理装置とを有する画像形成システムの制御方法であって、前記画像形成装置または前記後処理装置の処理に関する設定値を変更するためのユーザー操作を認識するステップ（ａ）と、前記画像形成装置が複数枚の用紙に連続的に画像を形成するとともに前記後処理装置が前記用紙に後処理を施す連続出力動作中に前記設定値が変更された場合、変更後の前記設定値を反映して、前記画像形成装置および前記後処理装置に前記連続出力動作を継続させるステップ（ｂ）と、前記ユーザー操作が認識されたときから過去に遡って、前記処理に関係する所定の変化を検出するステップ（ｃ）と、前記所定の変化が生じたときから前記変更後の設定値が反映されるまでの間に出力された用紙を前記画像形成装置および前記後処理装置に再出力させるステップ（ｄ）と、を有する画像形成システムの制御方法。
【００２３】
（１５）用紙上に画像を形成する画像形成装置の制御方法であって、前記画像形成装置の画像形成処理に関する設定値を変更するためのユーザー操作を認識するステップ（ａ）と、前記画像形成装置が複数枚の用紙に連続的に画像を形成する連続出力動作中に前記設定値が変更された場合、変更後の前記設定値を反映して、前記画像形成装置に前記連続出力動作を継続させるステップ（ｂ）と、前記ユーザー操作が認識されたときから過去に遡って、前記画像形成処理に関係する所定の変化を検出するステップ（ｃ）と、前記所定の変化が生じたときから前記変更後の設定値が反映されるまでの間に出力された用紙を前記画像形成装置に再出力させるステップ（ｄ）と、を有する画像形成装置の制御方法。
【００２４】
（１６）画像形成装置により画像が形成された用紙に後処理を施す後処理装置の制御方法であって、前記後処理装置の後処理に関する設定値を変更するためのユーザー操作を認識するステップ（ａ）と、前記画像形成装置により連続的に画像が形成された複数枚の用紙に前記後処理装置が後処理を施す連続出力動作中に前記設定値が変更された場合、変更後の前記設定値を反映して、前記後処理装置に前記連続出力動作を継続させるステップ（ｂ）と、前記ユーザー操作が認識されたときから過去に遡って、前記後処理に関係する所定の変化を検出するステップ（ｃ）と、前記画像形成装置と連携して、前記所定の変化が生じたときから前記変更後の設定値が反映されるまでの間に出力された用紙を前記後処理装置に再出力させるステップ（ｄ）と、を有する後処理装置の制御方法。
【発明の効果】
【００２５】
本発明によれば、ユーザーが異常のある出力物の数を数えて再出力を指示する必要がないため、連続出力動作中にユーザーが出力物の異常に気付いた場合のユーザーの作業が減り、生産性が向上する。
【図面の簡単な説明】
【００２６】
【図１】本発明の第１実施形態に係る画像形成システムの概略構成を示す図である。
【図２】給紙装置、画像形成装置、および後処理装置の概略構成を示すブロック図である。
【図３】印刷処理の手順を示すフローチャートである。
【図４】異常出力用紙検出処理の手順を示すフローチャートである。
【図５】印刷処理の一例を示す図である。
【図６】印刷処理の一例を示す図である。
【図７】用紙の折り処理を説明するための図である。
【図８】用紙の折りズレを説明するための図である。
【図９】用紙ロットによる用紙サイズの変動を説明するための図である。
【図１０】本発明の第２実施形態に係る印刷処理の一例を示す図である。
【図１１】定着工程による用紙サイズの変動を説明するための図である。
【図１２】本発明の第３実施形態に係る印刷処理の一例を示す図である。
【図１３】本発明の第４実施形態に係る印刷処理の手順を示すフローチャートである。
【図１４】本発明の第５実施形態に係る画像形成システムの概略構成を示す図である。
【図１５】印刷処理の一例を示す図である。
【発明を実施するための形態】
【００２７】
以下、図面を参照して、本発明の実施形態を詳細に説明する。
【００２８】
（第１実施形態）
図１は、本発明の第１実施形態に係る画像形成システム１００の概略構成を示す図であり、図２は、給紙装置１１０、画像形成装置１２０、および後処理装置１３０の概略構成を示すブロック図である。
【００２９】
図１および図２に示すとおり、画像形成システム１００は、給紙装置１１０、画像形成装置１２０、および後処理装置１３０を備えている。給紙装置１１０、画像形成装置１２０、および後処理装置１３０は、用紙搬送の上流側から下流側へ順に連結されている。以下、画像形成装置１２０、給紙装置１１０、および後処理装置１３０の順番で説明する。
【００３０】
＜画像形成装置＞
画像形成装置１２０は、制御部１２１、記憶部１２２、通信部１２３、操作パネル１２４、給紙部１２５、および画像形成部１２６を備えており、これらは信号をやり取りするためのバスを介して相互に接続されている。
【００３１】
制御部１２１は、ＣＰＵ（Ｃｅｎｔｒａｌ  Ｐｒｏｃｅｓｓｉｎｇ  Ｕｎｉｔ）であり、プログラムにしたがって上記各部の制御や各種の演算処理を行う。
【００３２】
記憶部１２２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを格納するハードディスク等からなる。
【００３３】
通信部１２３は、他の機器と通信するためのインターフェースであり、給紙装置１１０および後処理装置１３０との間で、設定値や動作タイミング制御に必要な各種信号等の送受信を行う。
【００３４】
操作パネル１２４は、タッチパネル、テンキー、スタートボタン、ストップボタン等を備えており、各種情報の表示および各種指示の入力に使用される。
【００３５】
給紙部１２５は、印刷に使用される用紙２００を収容する。給紙部１２５は、複数の給紙トレイを有しており、給紙トレイに収容された用紙２００を１枚ずつ画像形成部１２６に送り出す。
【００３６】
画像形成部１２６は、帯電、露光、現像、転写、および定着の各工程を含む電子写真式プロセスを用いて、各種データに基づく画像を用紙２００上に形成する。画像形成部１２６により画像が形成された用紙２００は、後処理装置１３０に搬送される。
【００３７】
＜給紙装置＞
給紙装置１１０は、制御部１１１、記憶部１１２、通信部１１３、および給紙部１１４を備えており、これらは信号をやり取りするためのバスを介して相互に接続されている。なお、給紙装置１１０の上記各部は、画像形成装置１２０の上記各部と同様の機能を有するため、その説明を省略する。
【００３８】
＜後処理装置＞
後処理装置１３０は、制御部１３１、記憶部１３２、通信部１３３、後処理部１３４、および排紙部１３５を備えており、これらは信号をやり取りするためのバスを介して相互に接続されている。なお、後処理装置１３０の上記各部のうち、画像形成装置１２０の上記各部と同様の機能を有する部分については、その説明を省略する。
【００３９】
後処理部１３４は、画像形成装置１２０から搬送されてきた用紙２００に対して後処理を施す。後処理には、用紙束をステープル止めするステープル処理、用紙の端部にファイリング用の穴をあけるパンチ処理、および用紙を折り畳む折り処理等が含まれる。排紙部１３５は、後処理部１３４を通過した用紙２００を後処理装置１３０の外部に送出する。
【００４０】
なお、画像形成装置１２０の制御部１２１は、後処理装置１３０の制御部１３１と連携して、画像形成装置１２０および後処理装置１３０の動作を制御する第１および第２制御部として機能する。また、画像形成装置１２０の制御部１２１は、記憶部１２２に記憶されたプログラムを実行することによって、後処理等に関する設定値を変更するためのユーザー操作を認識する認識部、およびユーザー操作が認識されたときから過去に遡って所定の変化を検出する検出部として機能する。各部の具体的な処理内容については後述する。
【００４１】
給紙装置１１０、画像形成装置１２０、および後処理装置１３０は、それぞれ、上記構成要素以外の構成要素を含んでいてもよく、あるいは、上記構成要素のうちの一部が含まれていなくてもよい。
【００４２】
以上のとおり構成される画像形成システム１００では、画像形成装置１２０が複数枚の用紙に連続的に画像を形成するとともに後処理装置１３０が用紙に後処理を施す連続出力動作が行われる。そして、画像形成システム１００の連続出力動作中に、ユーザーが出力物の異常（たとえば、折り位置のズレ）に気付いた場合、ユーザーは、画像形成システム１００の連続出力動作を停止することなく、関連する項目の設定値を変更することができる。そして、ユーザー操作により設定値が変更された場合、画像形成システム１００は、変更後の設定値を反映して連続出力動作を継続し、その後、異常のあった出力物の再出力を行う。以下、図３〜図９を参照して、画像形成システム１００の動作について詳細に説明する。
【００４３】
図３は、画像形成システム１００により実行される印刷処理の手順を示すフローチャートである。
【００４４】
まず、画像形成システム１００は、出力を開始する（ステップＳ１０１）。より具体的には、画像形成装置１２０の制御部１２１が、画像形成装置１２０および後処理装置１３０を制御して、画像形成装置１２０が複数枚の用紙に連続的に画像を形成するとともに後処理装置１３０が用紙に後処理を施す連続出力動作を開始させる。画像形成システム１００の連続出力動作中、ユーザーは、排紙部１３５に排出される出力物の状態（後処理の仕上がり等）を確認する。そして、ユーザーは、出力物の状態に所望の状態からのズレがあることに気付いた場合、画像形成装置１２０の操作パネル１２４を通じて、関連する項目の設定値を変更する。
【００４５】
次に、画像形成システム１００は、設定値の変更が開始されたか否かを判断する（ステップＳ１０２）。より具体的には、画像形成装置１２０の制御部１２１が、ユーザーが操作パネル１２４を通じて設定値を変更する際に行われる一連のボタン操作のうちの最初のボタン操作を認識したか否かを判断する。本実施形態では、最初のボタン操作を認識した場合、制御部１２１は、設定値の変更が開始されたと判断する。
【００４６】
設定値の変更が開始されていないと判断する場合（ステップＳ１０２：ＮＯ）、画像形成システム１００は、ステップＳ１０４の処理に移る。一方、設定値の変更が開始されたと判断する場合（ステップＳ１０２：ＹＥＳ）、画像形成システム１００は、異常出力用紙検出処理を実行する（ステップＳ１０３）。より具体的には、画像形成装置１２０の制御部１２１が、設定値の変更が開始されたときから過去に遡って異常出力用紙を検出する異常出力用紙検出処理を実行する。
【００４７】
図４は、異常出力用紙検出処理の手順を示すフローチャートである。
【００４８】
まず、制御部１２１は、給紙トレイの変更があったか否かを判断する（ステップＳ２０１）。より具体的には、制御部１２１が、設定値の変更が開始されたときから過去に遡って、画像形成装置１２０に用紙を供給する給紙トレイの変更があったか否かを判断する。
【００４９】
給紙トレイの変更がなかったと判断する場合（ステップＳ２０１：ＮＯ）、制御部１２１は、処理を終了する。一方、給紙トレイの変更があったと判断する場合（ステップＳ２０１：ＹＥＳ）、制御部１２１は、給紙トレイの変更後の用紙を異常出力用紙と判定し（ステップＳ２０２）、処理を終了する。より具体的には、制御部１２１は、給紙トレイが変更されたときから設定値の変更が開始されるまでの間に出力された用紙を異常出力用紙と判定し、処理を終了する。ここで、異常出力用紙と判定された用紙に関する情報は、後続する再出力処理のために記憶部１２２に記憶される。
【００５０】
以上のとおり、ステップＳ１０３に示す異常出力用紙検出処理によれば、設定値の変更が開始されたときから過去に遡って給紙トレイの変更が検出される。そして、給紙トレイが変更されたときから設定値の変更が開始されるまでの間に出力された用紙が、異常出力用紙と判定される。
【００５１】
一方、ステップＳ１０２に示す処理において、設定値の変更が開始されていないと判断する場合（ステップＳ１０２：ＮＯ）、画像形成システム１００は、設定値の変更中であるか否かを判断する（ステップＳ１０４）。より具体的には、画像形成装置１２０の制御部１２１が、画像形成システム１００の現在の状況について、設定値の変更が開始されてから、変更後の設定値が画像形成装置１２０または後処理装置１３０に反映されるまでの間にあるか否かを判断する。なお、設定値が変更される場合、画像形成装置１２０の制御部１２１は、第１制御部として、連続出力動作を停止することなく変更後の設定値を反映して、画像形成装置１２０および後処理装置１３０に連続出力動作を継続させる。
【００５２】
設定値の変更中であると判断する場合（ステップＳ１０４：ＹＥＳ）、画像形成システム１００は、現在出力中の用紙を異常出力用紙と判定する（ステップＳ１０５）。より具体的には、画像形成装置１２０の制御部１２１が、画像形成システム１００から現在出力されている用紙を異常出力用紙と判定する。ステップＳ１０４〜ステップＳ１０５に示す処理によれば、設定値の変更が開始されたときから変更後の設定値が反映されるまでの間に出力された用紙が、異常出力用紙と判定される。異常出力用紙と判定された用紙に関する情報は、後続する再出力処理のために記憶部１２２に記憶される。
【００５３】
一方、ステップＳ１０４に示す処理において、設定値の変更中でないと判断する場合（ステップＳ１０４：ＮＯ）、画像形成システム１００は、現在出力中の用紙を正常出力用紙と判定する（ステップＳ１０６）。より具体的には、画像形成装置１２０の制御部１２１が、画像形成システム１００から現在出力されている用紙を正常出力用紙と判定する。
【００５４】
次に、画像形成システム１００は、出力が終了したか否かを判断する（ステップＳ１０７）。より具体的には、画像形成装置１２０の制御部１２１が、ステップＳ１０１に示す処理で開始した連続出力動作について、最後の用紙の出力が終了したか否かを判断する。
【００５５】
出力が終了していないと判断する場合（ステップＳ１０７：ＮＯ）、画像形成システム１００は、ステップＳ１０２の処理に戻る。そして、出力が終了するまで、画像形成システム１００は、ステップＳ１０２以下の処理を繰り返す。
【００５６】
一方、出力が終了したと判断する場合（ステップＳ１０７：ＹＥＳ）、画像形成システム１００は、異常出力用紙があるか否かを判断する（ステップＳ１０８）。より具体的には、画像形成装置１２０の制御部１２１が、ステップＳ１０３およびステップＳ１０５に示す処理で異常出力用紙と判定された用紙があるか否かを判断する。なお、設定値の変更が開始されても、最終的に設定値が変更されなかった場合、制御部１２１は、異常出力用紙がないと判断する。
【００５７】
異常出力用紙がないと判断する場合（ステップＳ１０８：ＮＯ）、画像形成システム１００は、処理を終了する。一方、異常出力用紙があると判断する場合（ステップＳ１０８：ＹＥＳ）、画像形成システム１００は、異常出力用紙を再出力し（ステップＳ１０９）、処理を終了する。より具体的には、画像形成装置１２０の制御部１２１が、第２制御部として、画像形成装置１２０および後処理装置１３０を制御して、ステップＳ１０３およびステップＳ１０５に示す処理で異常出力用紙と判定された用紙を再出力させ、処理を終了する。
【００５８】
以上のとおり、図３に示すフローチャートの処理によれば、画像形成システム１００の連続出力動作中に、たとえば、後処理に関する設定値が変更された場合、変更後の設定値を反映して連続出力動作が継続される。このとき、過去に遡って異常出力用紙が検出され、異常出力用紙の再出力が行われる。
【００５９】
次に、図５および図６を参照して、上記印刷処理についてより具体的に説明する。図５および図６は、本実施形態に係る印刷処理の一例を示す図である。
【００６０】
図５および図６では、Ａ４サイズの用紙を１枚ずつ３つ折りにして１００枚出力する印刷ジョブを画像形成システム１００が実行する場合を示す。
【００６１】
画像形成システム１００が１００枚の連続出力動作を行っている間、ユーザーが、５０枚目の用紙について折り位置にズレがあることに気付き、５１枚目の用紙の出力中に折り位置の変更を開始して、設定値「Ａ」を設定値「Ｂ」に変更したと仮定する。この場合、画像形成システム１００は、連続出力動作を停止することなく、変更後の設定値「Ｂ」を反映して連続出力動作を継続する。その結果、たとえば、５２枚目の用紙まで設定値「Ａ」での折り処理が行われ、５３枚目の用紙から設定値「Ｂ」での折り処理が行われる。
【００６２】
設定値が変更される場合、画像形成装置１２０の制御部１２１は、設定値の変更が開始されたときから過去に遡って給紙トレイの変更を検出する。そして、４８枚目と４９枚目の用紙の間で給紙トレイが第１トレイ「１」から第２トレイ「２」に変更されていた場合、制御部１２１は、給紙トレイが変更されたときから設定値の変更が開始されるまでの間に出力された４９枚目〜５１枚目の用紙を異常出力用紙と判定する。加えて、制御部１２１は、設定値の変更が開始されたときから変更後の設定値「Ｂ」が反映されるまでの間に出力された５２枚目の用紙も異常出力用紙と判定する。一方、制御部１２１は、１枚目〜４８枚目および５３枚目〜１００枚目の用紙を正常出力用紙と判定する。
【００６３】
そして、１００枚の用紙の出力が終了すれば、画像形成装置１２０の制御部１２１は、画像形成装置１２０および後処理装置１３０を制御して、異常出力用紙と判定した４９枚目〜５２枚目の用紙の再出力を行わせる。このような構成によれば、画像形成システム１００の連続出力動作中に、ユーザーが出力物の異常に気付いた場合でも、ユーザーが異常のある出力物の数を数えて画像形成システム１００に再出力を指示する必要がない。
【００６４】
以下、図７〜図９を参照して、折り処理等の後処理の仕上がりに異常が生じる原因について説明する。
【００６５】
後処理装置１３０が用紙を折り畳む場合、後処理装置１３０は、用紙の紙種情報やサイズ情報を参照して用紙の折り位置を決定する。たとえば、図７に示すとおり、用紙２００を２つに折り畳む場合、用紙２００の長さＬを基準として折り位置（Ｌ／２）が決定され、決定された折り位置で用紙２００が折り畳まれる。しかしながら、図８に示すとおり、実際の用紙２００の長さＬ１は、用紙のサイズ情報から得られる制御長さＬ２とは僅かに異なる。そのため、画像形成システム１００の出力物には、用紙の制御長さＬ２と実際の用紙２００の長さＬ１との差に応じた折りズレが生じる。そして、用紙の長さについては規格により許容誤差（たとえば、±１．５〜３．０ｍｍ）が存在するため、実際の用紙２００の長さＬ１は、用紙ロットにより変動する。たとえば、図９に示すとおり、異なるロットの用紙２００ａ，２００ｂ，２００ｃは異なる長さを有し、折り位置にズレを生じさせる。
【００６６】
したがって、本実施形態の画像形成システム１００では、用紙の折り位置にズレがあることにユーザーが気付いて設定値の変更を開始した場合、給紙トレイが過去に変更されたか否かを判断することにより、用紙ロットが過去に変更されたか否かを判断する。そして、給紙トレイが過去に変更されていれば、給紙トレイが変更されたときから折り位置のズレが生じたと判断し、給紙トレイか変更されたときから設定値の変更が開始されるまでの間に出力された用紙を異常出力用紙と判定して再出力を行う。さらに、設定値の変更が開始されたときから変更後の設定値が反映されるまでの間に出力された用紙も異常出力用紙と判定して再出力を行う。
【００６７】
以上のとおり、本実施形態の画像形成システム１００によれば、画像形成システム１００の連続出力動作中、ユーザーが出力物の異常に気付いて設定値の変更を開始した場合、給紙トレイの変更が過去に遡って検出される。そして、給紙トレイの変更が生じたときから変更後の設定値が反映されるまでの間に出力された用紙の再出力が行われる。このような構成によれば、画像形成システム１００の連続出力動作中に、ユーザーが出力物の異常に気付いた場合でも、ユーザーが異常のある出力物の数を数えて画像形成システム１００に再出力を指示する必要がない。その結果、ユーザーの作業が減り、画像形成システム１００の生産性が向上する。
【００６８】
加えて、本実施形態の画像形成システム１００によれば、画像形成システム１００の連続出力動作を停止することなく設定値が変更され、変更後の設定値を反映して連続出力動作が継続される。このような構成によれば、ユーザーが連続出力動作を停止して設定値を変更する場合のように、ユーザーが連続出力動作の停止を指示した時点で給紙済みのすべての用紙に対して、変更前の設定値で後処理等が無駄に行われることがない。したがって、画像形成システム１００の連続出力動作を停止して設定値を変更する場合に比べ、異常出力用紙の枚数を削減することができる。
【００６９】
（変形例）
なお、上述した実施形態では、図４に示す異常出力用紙検出処理において、給紙トレイの変更が過去になかったと判断された場合、画像形成装置１２０の制御部１２１は、設定値の変更が開始される前に出力された用紙を異常出力用紙と判定せずに処理を終了した。しかしながら、異常出力用紙検出処理において、給紙トレイの変更が過去になかったと判断された場合、画像形成装置１２０の制御部１２１は、設定値の変更が開始される前に出力されたすべての用紙を異常出力用紙と判定しもよい。
【００７０】
また、上述した実施形態では、同一ロットの用紙が１つの給紙トレイに収容されていることを前提として、給紙トレイが過去に変更されたか否かを判断することにより、用紙ロットが過去に変更されたか否かを判断した。しかしながら、複数ロットの用紙が１つの給紙トレイに収容されている場合には、たとえば、給紙トレイ内の用紙の枚数をカウントすることにより、用紙ロットが変更されたか否かを直接的に判断する。なお、上述した実施形態のように給紙トレイの変更を検出する場合、用紙ロットの変更に起因する用紙サイズの変動を検出できるのみならず、用紙の搬送経路形状の給紙トレイ毎の違いに起因する用紙の変形（カール）も検出することができる。用紙の変形も、出力物の異常を引き起こす原因となり得る。
【００７１】
（第２実施形態）
第１実施形態では、出力物の異常を引き起こした原因として、給紙トレイの変更に着目した。本実施形態では、出力物の異常を引き起こした原因として、環境（温度・湿度）の変化に着目する。
【００７２】
図１０は、本実施形態に係る印刷処理の一例を示す図である。図１０では、Ａ４サイズの用紙にパンチ処理を施し、１０枚単位で平綴じして１００部出力する印刷ジョブを画像形成システム１００が実行する場合を示す。なお、画像形成システム１００の構成自体は、第１実施形態と同様であるため、説明は省略する。
【００７３】
画像形成システム１００が１００部の連続出力動作を行っている間、ユーザーが、４９部目の用紙についてパンチ位置にズレがあることに気付き、５０部目の出力中にパンチ位置の設定値を「Ａ」から「Ｂ」に変更したと仮定する。この場合、画像形成システム１００は、変更後の設定値「Ｂ」を反映して連続出力動作を継続し、たとえば、５１部目の用紙から設定値「Ｂ」でのパンチ処理が行われる。
【００７４】
設定値が変更される場合、画像形成装置１２０の制御部１２１は、設定値の変更が開始されたときから過去に遡って環境の変化を検出する。ここで、環境の変化は、たとえば、画像形成システム１００の周囲の温度の連続出力動作開始時点からの２℃以上の変化、または、周囲の湿度の７％以上の変化であり、予め設定される。図１０では、環境が第１状態「１」から第２状態「２」に変化した場合や、第２状態「２」から第３状態「３」に変化した場合が上記環境の変化に該当する。
【００７５】
本実施形態では、制御部１２１は、まず、設定値の変更が開始されたときから過去に遡って、環境の第１状態「１」から第２状態「２」への変化を検出する。そして、制御部１２１は、環境が第１状態「１」から第２状態「２」に変化したときから変更後の設定値「Ｂ」が反映されるまでの間に出力された４９部目および５０部目の用紙を異常出力用紙と判定する。
【００７６】
加えて、本実施形態では、図１０に示すとおり、ユーザーが７９部目の用紙についてパンチ位置にズレがあることに再び気付き、８０部目の出力中に設定値を「Ｂ」から「Ｃ」に変更したと仮定する。この場合、画像形成システム１００は、変更後の設定値「Ｃ」を反映して連続出力動作を継続し、たとえば、８１部目の用紙から設定値「Ｃ」でのパンチ処理が行われる。
【００７７】
設定値が再び変更される場合、画像形成装置１２０の制御部１２１は、設定値の変更が再び開始されたときから過去に遡って、環境の第２状態「２」から第３状態「３」への変化を検出する。そして、制御部１２１は、環境が第２状態「２」から第３状態「３」に変化したときから変更後の設定値「Ｃ」が反映されるまでの間に出力された７９部目および８０部目の用紙を異常出力用紙と判定する。その後、１００部の出力が終了すれば、画像形成装置１２０の制御部１２１は、画像形成装置１２０および後処理装置１３０を制御して、４９部目および５０部目と７９部目および８０部目の再出力を行わせる。
【００７８】
なお、本実施形態とは異なり、環境が途中で第３状態「３」に変化せずに第２状態「２」のままである場合には、画像形成装置１２０の制御部１２１は、４９部目〜８０部目の用紙を異常出力用紙と判定して再出力を行う。また、本実施形態では、パンチ処理が用紙毎に行われているが、平綴じ処理の単位である１０枚の用紙束単位（部単位）で異常出力用紙の再出力が行われる。
【００７９】
以上のとおり、本実施形態の画像形成システム１００によれば、画像形成システム１００の連続出力動作中、ユーザーが出力物の異常に気付いて設定値の変更を開始した場合、環境の変化が過去に遡って検出される。そして、環境の変化が生じたときから変更後の設定値が反映されるまでの間に出力された用紙の再出力が行われる。このような構成によれば、ユーザーが異常のある出力物の数を数えて画像形成システム１００に再出力を指示する必要がなく、ユーザーの作業が減り、生産性が向上する。
【００８０】
以下、図１１を参照して、環境の変化により後処理の仕上がりに異常が生じる原因について説明する。
【００８１】
図１１に示すとおり、画像形成装置１２０により用紙２００に画像が形成される場合、トナー画像の定着工程での乾燥により用紙２００が縮む。ここで、用紙の縮み度合いは、用紙種類、用紙上の画像、および周囲の環境（温度・湿度）の影響を受ける。たとえば、用紙上の画像が大きければ用紙から水分が失われにくくなり用紙が縮みにくくなる。あるいは、温度・湿度の高い環境下では、定着工程後も用紙に多くの水分が残り、用紙の縮み度合いが小さくなる。したがって、本実施形態の画像形成システム１００では、用紙のパンチ位置にズレがあることにユーザーが気付いて設定値の変更を開始した場合、過去に環境が変化したか否かを判断する。そして、過去に環境が変化していれば、環境が変化したときからパンチ位置のズレが生じたと判断し、環境が変化したときから変更後の設定値が反映されるまでの間に出力された用紙を異常出力用紙と判定して再出力を行う。
【００８２】
（第３実施形態）
第１および第２実施形態では、給紙トレイの変更や環境の変化のように用紙サイズの変動を引き起こす変化に着目した。本実施形態では、用紙サイズの変動を引き起こす変化以外の変化に着目する。
【００８３】
図１２は、本発明の第３実施形態に係る印刷処理の一例を示す図である。
【００８４】
図１２では、Ａ４サイズの用紙を３枚単位で中綴じして５０部出力する第１印刷ジョブと、Ａ４サイズの用紙を５枚単位で中綴じして５０部出力する第２印刷ジョブとを画像形成システム１００が実行する場合を示す。なお、画像形成システム１００の構成自体は、第１実施形態と同様であるため、説明は省略する。
【００８５】
画像形成システム１００が合計１００部の連続出力動作を行っている間、ユーザーが、５１部目について折り位置にズレがあることに気付き、５２部目の出力中に折り位置の設定値を「Ａ」から「Ｂ」に変更したと仮定する。この場合、画像形成システム１００は、変更後の設定値「Ｂ」を反映して連続出力動作を継続し、たとえば、５３部目から設定値「Ｂ」での折り処理が行われる。
【００８６】
設定値が変更される場合、画像形成装置１２０の制御部１２１は、設定値の変更が開始されたときから過去に遡って印刷ジョブの変更を検出する。そして、制御部１２１は、印刷ジョブが第１印刷ジョブ「１」から第２印刷ジョブ「２」に変更されたときから変更後の設定値「Ｂ」が反映されるまでの間に出力された５１部目および５２部目の用紙を異常出力用紙と判定する。
【００８７】
加えて、本実施形態では、図１２に示すとおり、ユーザーが、５３部目について折り位置のズレが十分に解消されていないと判断し、５４部目の出力中に折り位置の設定値を「Ｂ」から「Ｃ」に変更したと仮定する。この場合、画像形成システム１００は、変更後の設定値「Ｃ」を反映して連続出力動作を継続し、たとえば、５５部目から設定値「Ｃ」での折り処理が行われる。
【００８８】
設定値が再び変更される場合、画像形成装置１２０の制御部１２１は、設定値の変更が再び開始されたときから過去に遡って印刷ジョブの変更を検出する。そして、制御部１２１は、印刷ジョブが第１印刷ジョブ「１」から第２印刷ジョブ「２」に変更されたときから変更後の設定値「Ｃ」が反映されるまでの間に出力された５１部目〜５４部目の用紙を異常出力用紙と判定する。その後、１００部の出力が終了すれば、画像形成装置１２０の制御部１２１は、画像形成装置１２０および後処理装置１３０を制御して、５１部目〜５４部目の再出力を行わせる。なお、後処理装置１３０が折り処理を行う連続出力動作中に印刷ジョブが変更され、折り畳まれる用紙の枚数が変わった場合、用紙の折り位置にズレが生じ得る。
【００８９】
以上のとおり、本実施形態の画像形成システム１００によれば、画像形成システム１００の連続出力動作中、ユーザーが出力物の異常に気付いて設定値の変更を開始した場合、印刷ジョブの変更が過去に遡って検出される。そして、印刷ジョブが変更されたときから変更後の設定値が反映されるまでの間に出力された用紙の再出力が行われる。このような構成によれば、ユーザーが異常のある出力物の数を数えて画像形成システム１００に再出力を指示する必要がなく、ユーザーの作業が減り、生産性が向上する。
【００９０】
（第４実施形態）
次に、図１３を参照して、本発明の第４実施形態について説明する。本実施形態は、異常出力用紙の再出力を行わない実施形態である。
【００９１】
図１３は、本実施形態に係る印刷処理の手順を示すフローチャートである。なお、本実施形態に係る画像形成システム１００の構成自体は、第１実施形態に係る構成と同様であるため、説明は省略する。本実施形態において、画像形成装置１２０の制御部１２１は、記憶部１２２に記憶されたプログラムを実行することによって、設定値の変更量が許容範囲内であるか否かを判断する判断部、およびユーザー操作に基づき許容範囲を設定する設定部として機能する。
【００９２】
ステップＳ３０１〜Ｓ３０８に示す処理は、図３のステップＳ１０１〜Ｓ１０８に示す処理と同様であるため、説明は省略する。
【００９３】
そして、ステップＳ３０８に示す処理において、異常出力用紙があると判断する場合（ステップＳ３０８：ＹＥＳ）、画像形成システム１００は、設定値の変更量が許容範囲内であるか否かを判断する（ステップＳ３０９）。より具体的には、画像形成装置１２０の制御部１２１が、変更後の設定値の変更直前の値からの変更量を長さに換算したズレ量が所定の許容範囲（たとえば、±１ｍｍ）内に含まれるか否かを判断する。なお、許容範囲は、保証精度等を勘案しつつ、画像形成装置１２０の操作パネル１２４を通じて、ユーザーにより設定され得る。
【００９４】
設定値の変更量が許容範囲外であると判断する場合（ステップＳ３０９：ＮＯ）、画像形成システム１００は、異常出力用紙を再出力し（ステップＳ３１０）、処理を終了する。一方、設定値の変更量が許容範囲内であると判断する場合（ステップＳ３０９：ＹＥＳ）、画像形成システム１００は、異常出力用紙を再出力することなく、処理を終了する。
【００９５】
以上のとおり、図１３に示すフローチャートの処理によれば、画像形成システム１００の連続出力動作中に、たとえば、後処理に関する設定値が変更された場合、変更後の設定値を反映して連続出力動作が継続される。このとき、過去に遡って異常出力用紙が検出され、設定値の変更量が許容範囲外の場合、異常出力用紙の再出力が行われる。一方、設定値の変更量が許容範囲内の場合、異常出力用紙の再出力が行われない。このような構成によれば、不必要な再出力が防止される。
【００９６】
（第５実施形態）
次に、図１４および図１５を参照して、本発明の第５実施形態について説明する。本実施形態は、画像形成処理に関する設定値を変更する実施形態である。
【００９７】
図１４は、本実施形態に係る画像形成システム１００の概略構成を示す図である。
【００９８】
図１４に示すとおり、本実施形態の画像形成システム１００は、給紙装置１１０、画像形成装置１２０、およびスタッカー装置１４０を備えている。給紙装置１１０、画像形成装置１２０、およびスタッカー装置１４０は、用紙搬送の上流側から下流側へ順に連結されている。なお、給紙装置１１０および画像形成装置１２０の構成は、第１実施形態と同様であるため、給紙装置１１０および画像形成装置１２０についての説明は省略する。
【００９９】
スタッカー装置１４０は、収容部１４１および排紙部１４２を備えている。収容部１４１は、画像形成装置１２０から排出される用紙２００を収容する。排紙部１４２は、画像形成装置１２０から排出される用紙２００をスタッカー装置１４０の外部に送出する。
【０１００】
図１５は、本実施形態に係る印刷処理の一例を示す図である。図１５では、Ａ４サイズの用紙を１００枚出力する印刷ジョブを画像形成装置１２０が実行する場合を示す。
【０１０１】
画像形成装置１２０が１００枚の連続出力動作を行っている間、ユーザーが、４９枚目と５０枚目の用紙の間で排出されるサンプル用紙について画質（濃度等）に異常があることに気付き、５０枚目の出力中に画質に関連する項目の設定値を「Ａ」から「Ｂ」に変更したと仮定する。この場合、画像形成装置１２０は、変更後の設定値「Ｂ」を反映して連続出力動作を継続し、たとえば、５２枚目の用紙から設定値「Ｂ」での画像形成処理が行われる。
【０１０２】
設定値が変更される場合、画像形成装置１２０の制御部１２１は、設定値の変更が開始されたときから過去に遡って環境の変更を検出する。そして、制御部１２１は、環境が第１状態「１」から第２状態「２」に変化したときから変更後の設定値「Ｂ」が反映されるまでの間に出力された４９枚目〜５１枚目の用紙を異常出力用紙と判定する。その後、１００枚の用紙の出力が終了すれば、制御部１２１は、画像形成装置１２０を制御して、４９枚目〜５１枚目の用紙（サンプル用紙を除く）の再出力を行わせる。なお、画像形成装置１２０の連続出力動作中に環境が変化すれば、画質が変化し得る。
【０１０３】
このような構成によれば、画像形成装置１２０の連続出力動作中に、ユーザーが出力物の異常に気付いた場合でも、ユーザーが異常のある出力物の数を数えて画像形成装置１２０に再出力を指示する必要がない。その結果、ユーザーの作業が減り、画像形成装置１２０の生産性が向上する。
【０１０４】
本発明は、上述した実施形態のみに限定されるものではなく、特許請求の範囲内において、種々改変することができる。
【０１０５】
たとえば、上述した第１〜第５実施形態では、画像形成装置１２０の制御部１２１が過去に遡って給紙トレイの変更等を検出する処理は、設定値の変更が開始された時点（つまり、設定値を変更するための最初のボタン操作が認識された時点）で行われた。しかしながら、制御部１２１が過去に遡って所定の変化を検出する処理を行うタイミングは、設定値の変更が開始された時点に限定されるものではなく、設定値が入力された時点であってもよい。この場合、たとえば、ユーザーが操作パネル１２４を通じて設定値を変更する際に行われる一連のボタン操作のうち、変更後の設定値を入力するための最終的なボタン操作を認識した場合、制御部１２１が、過去に遡って給紙トレイの変更等を検出する。
【０１０６】
また、上述した第１〜第５実施形態では、異常出力用紙の再出力は、連続出力動作についての出力が終了した後に行われた。しかしながら、異常出力用紙の再出力が行われるタイミングは、出力の終了後に限定されるものではなく、たとえば、変更後の設定値が画像形成装置１２０または後処理装置１３０に反映された直後に、異常出力用紙の再出力が行われてもよい。
【０１０７】
また、上述した第１〜第４実施形態では、後処理に関連する項目として、折り処理の折り位置やパンチ処理のパンチ位置を例に挙げて説明した。しかしながら、後処理に関連する項目は、これらに限定されるものではなく、たとえば、製本処理のカール量、糊塗布量、および角背形成強さ等も含まれる。また、画像形成処理に関連する項目も、画質に限定されるものでなく、たとえば、用紙上の画像形成位置も含まれる。
【０１０８】
また、上述した第１〜第４実施形態では、画像形成装置１２０の制御部１２１が、異常出力用紙検出処理を実行して、画像形成システム１００の制御を行った。しかしながら、後処理装置１３０の制御部１３１が、異常出力用紙検出処理を実行してもよい。この場合、後処理装置１３０の制御部１３１が、上記認識部、第１制御部、検出部、および第２制御部として機能する。また、異常出力用紙検出処理は、画像形成装置１２０および後処理装置１３０とは別の制御装置により実行されてもよい。
【０１０９】
また、上述した第１〜第４実施形態では、画像形成装置と後処理装置とが別体である場合を例に挙げて説明した。しかしながら、画像形成装置と後処理装置とは一体の装置であってもよい。
【０１１０】
また、上述した第１〜第５実施形態を組み合わせて実行することもできる。たとえば、第１実施形態と第２実施形態とを組み合わせて実行する場合、異常出力用紙検出処理において、給紙トレイの変更と環境の変化の両方が過去に遡って検出される。
【０１１１】
上述した第１〜第５実施形態に係る画像形成システムにおける各種処理を行う手段および方法は、専用のハードウエア回路、またはプログラムされたコンピューターのいずれによっても実現することが可能である。上記プログラムは、たとえば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、画像形成システムの一機能としてその装置のソフトウエアに組み込まれてもよい。
【符号の説明】
【０１１２】
１００  画像形成システム、
１１０  給紙装置、
１１１，１２１，１３１  制御部、
１１２，１２２，１３２  記憶部、
１１３，１２３，１３３  通信部、
１１４，１２５  給紙部、
１２０  画像形成装置、
１２４  操作パネル、
１２６  画像形成部、
１３０  後処理装置、
１３４  後処理部、
１３５，１４２  排紙部、
１４０  スタッカー装置、
１４１  収容部、
２００  用紙。
【図１】
0006593218.tif 000002
【図２】
0006593218.tif 000003
【図３】
0006593218.tif 000004
【図４】
0006593218.tif 000005
【図５】
0006593218.tif 000006
【図６】
0006593218.tif 000007
【図７】
0006593218.tif 000008
【図８】
0006593218.tif 000009
【図９】
0006593218.tif 000010
【図１０】
0006593218.tif 000011
【図１１】
0006593218.tif 000012
【図１２】
0006593218.tif 000013
【図１３】
0006593218.tif 000014
【図１４】
0006593218.tif 000015
【図１５】
0006593218.tif 000016